(57)【要約】【課題】本発明は、ＵＳＢインターフェースで外付けされる光ディスク装置において、ホストコンピュータ装置がシャットダウンたら確実に電源をＯＦＦすることができる電源制御手段を備えた光ディスク装置及び光ディスク装置の電源制御方法を提供することを目的とする。【解決手段】本発明はメイン電源とサブ電源とを有するホストコンピュータ装置１１に接続されホストコンピュータ装置１１のサブ電源から電源供給を受けるインターフェイスと、ホストコンピュータ装置１１のメイン電源を切断する場合、ホストコンピュータ装置１１からメイン電源を切る旨のコマンドをインターフェイスを介して入力し、コマンドの入力により前記ホストコンピュータ装置１１のサブ電源からの電源供給を停止する構成とする。【選択図】図３
2007249727.tif 000002
【特許請求の範囲】
【請求項１】
メイン電源とサブ電源とを有するホストコンピュータ装置に接続され前記ホストコンピュータ装置のサブ電源から電源供給を受けるインターフェイスと、
前記ホストコンピュータ装置のメイン電源を切断する場合前記ホストコンピュータ装置からメイン電源を切る旨のコマンドを前記インターフェイスを介して入力し、前記コマンドの入力により前記ホストコンピュータ装置のサブ電源からの電源供給を停止する制御手段と、を具備する周辺装置。
【請求項２】
メイン電源とサブ電源とを有するホストコンピュータ装置に接続され前記ホストコンピュータ装置のサブ電源から電源供給を受けるインターフェイスと、
前記ホストコンピュータ装置のメイン電源を切断する場合前記ホストコンピュータ装置からメイン電源を切る旨のコマンドを前記インターフェイスを介して入力し、前記コマンドの入力により前記ホストコンピュータ装置のサブ電源からの電源供給を停止する制御手段と、を具備する光ディスク装置。
【請求項３】
装置内部に電源を供給するメイン電源と、
装置に接続された光ディスク装置に電源を供給するサブ電源と、
光ディスク装置と接続し且つ前記サブ電源から前記光ディスク装置に電源を供給するインターフェイスと、
前記メイン電源を切断する場合、本装置のメイン電源を切る旨のコマンドを前記インターフェイスを介して前記光ディスク装置に出力する制御手段と、を具備するホストコンピュータ装置。
【請求項４】
前記制御手段は、前記装置で実行しているソフトウェアが前記装置のシャットダウン動作を検知して、前記装置のメイン電源を切る旨のコマンドを前記光ディスク装置に出力することを具備する請求項３記載のホストコンピュータ装置。
【請求項５】
メイン電源とサブ電源とを有するホストコンピュータ装置に接続され、前記ホストコンピュータ装置のサブ電源から第１の電源供給源として電源供給を受けるインターフェースと、
ＤＣ電源として電源供給を受ける第２の電源供給源と、
前記ホストコンピュータ装置のメイン電源を切断する場合前記ホストコンピュータ装置からメイン電源を切る旨のコマンドを前記インターフェイスを介して入力し、前記コマンドに基づき前記第１の電源供給源及び前記第２の電源供給源の電源供給を切断する制御手段、を具備する光ディスク装置。
【請求項６】
メイン電源とサブ電源とを有するホストコンピュータ装置に接続され前記ホストコンピュータ装置のサブ電源から電源供給を受けるインターフェイスと、
このインターフェイスを介して前記ホストコンピュータ装置から所定の信号を検出する信号検出手段と、
前記信号検出手段が前記ホストコンピュータ装置から前記所定の信号を検出した場合、前記ホストコンピュータ装置のメイン電源が起動したと判断して前記ホストコンピュータ装置のサブ電源からの電源供給を開始する制御手段と、を具備する光ディスク装置。
【請求項７】
メイン電源とサブ電源とを有するホストコンピュータ装置のサブ電源から電源供給を受け、
前記ホストコンピュータ装置のメイン電源を切断する場合前記ホストコンピュータ装置からメイン電源を切る旨のコマンドをインターフェイスを介して入力し、
前記コマンドの入力により前記ホストコンピュータ装置のサブ電源からの電源供給を停止することを特徴とする光ディスク装置の電源制御方法。
【請求項８】
メイン電源とサブ電源とを有するホストコンピュータ装置のサブ電源から第１の電源供給を受け、
ＤＣ電源として第２の電源供給を受け、
前記ホストコンピュータ装置のメイン電源を切断する場合前記ホストコンピュータ装置からメイン電源を切る旨のコマンドをインターフェイスを介して入力し、
前記コマンド入力により前記第１の電源供給源及び前記第２の電源供給源の電源供給を停止することを特徴とする光ディスク装置の電源制御方法。
【請求項９】
装置内部にメイン電源より電源を供給し、
装置に接続された光ディスク装置にサブ電源より電源を供給し、
前記装置内部に供給するメイン電源を切断する場合、本装置の電源を切る旨のコマンドをインターフェースを介して前記光ディスク装置に出力し、
前記光ディスク装置の電源を停止することを特徴とするホストコンピュータ装置による光ディスク装置の電源制御方法。
【請求項１０】
前記ホストコンピュータ装置のメイン電源の切断は、ホストコンピュータ装置で実行しているソフトウェアがホストコンピュータ装置のシャットダウン動作を検知して、前記光ディスク装置に前記ホストコンピュータ装置のメイン電源を切る旨のコマンドを出力することを特徴とする請求項９記載のホストコンピュータ装置による光ディスク装置の電源制御方法。
【請求項１１】
装置本体に電源を供給するメイン電源と装置本体に接続された光ディスクに電源を供給するサブ電源とを有するホストコンピュータ装置に、
前記サブ電源から前記光ディスク装置に電源を供給する処理と、
前記メイン電源を切断する場合、本装置のメイン電源を切る旨のコマンドを前記インターフェイスを介して前記光ディスク装置に出力する処理と、を実行させることを特徴とするコンピュータプログラム。
【発明の詳細な説明】
【技術分野】
【０００１】
本発明は、ホストコンピュータ装置にインターフェースを介して外付けされる周辺装置で、特に電源スイッチを備えていない周辺装置においても確実に電源をＯＦＦすることができる周辺装置、周辺装置の電源制御方法及び電源制御プログラムに関する。
【背景技術】
【０００２】
ホストコンピュータ装置に接続される周辺装置として外付け光ディスク装置、スキャナー装置やプリンタ装置などがあり、これらの周辺装置はＵＳＢインターフェースやＩＥＥＥ１３９４規格の入出力インターフェースの接続ケーブルを介してホストコンピュータ装置との間でデータの入力や出力ができるようになっている。
【０００３】
周辺装置として光ディスク装置を例にとると、従来のホストコンピュータ装置に外付けされるいわゆる外付け光ディスク装置は、ホストコンピュータ装置のインターフェースの電源ラインから及びインターフェースの電源能力を超える場合にはＡＣアダプタなどによりＤＣ電源を供給を受けていた。本体に電源機能を有さずにホストコンピュータ装置のＵＳＢインターフェースの電源ライン（ＶＢＵＳと呼ぶ）からのみ電源供給を受けることもあった。
【０００４】
これらのＵＳＢインターフェースのＶＢＵＳから電源を受けて動作する光ディスク装置には電源連動機能が搭載されている。この電源連動機能では光ディスク装置には電源ＳＷを設けなくてもよく、ホストコンピュータ装置がシャットダウンされＵＳＢポートの電源ラインであるＶＢＵＳに電源供給されなくなったら、光ディスク装置にも電源供給がされなくなり、電源連動機能によって外付け光ディスク装置も電源がＯＦＦとなる構成となっていた。
【０００５】
ホストコンピュータ装置のインターフェースを利用し、ホストコンピュータ装置と電源連動機能を有した周辺装置の電源制御を可能とする電源制御装置及び電源制御方法を提供する文献として例えば（特許文献１）がある。
【特許文献１】特開２０００−１６３１６３号公報
【発明の開示】
【発明が解決しようとする課題】
【０００６】
しかしながら、ホストコンピュータ装置の機種によっては、ホストコンピュータ装置のシャットダウン処理によってホストコンピュータ装置の電源をＯＦＦしても、ＵＳＢインターフェースのＶＢＵＳは電源供給がＯＦＦとならない場合があった。
【０００７】
図１１は従来の光ディスク装置のブロック図である。
【０００８】
図１１において、１００１はＵＳＢコネクタ、１００２はＵＳＢインターフェース回路部、１００３は光ディスク装置システム回路部、１００４はＡＣアダプタ／ＵＳＢ電源切替回路、１００５はＡＣアダプタＯＮ／ＯＦＦ用トランジスタ、１００６はＵＳＢ電源ＯＮ／ＯＦＦ用トランジスタである。
【０００９】
ホストコンピュータ装置１１と光ディスク装置１３とはＵＳＢケーブル１５で接続される。ＵＳＢインターフェース回路部１００２や光ディスク装置システム部１００３の駆動電源は、ＵＳＢコネクタのＶＢＵＳやＡＣアダプタよりのＤＣ電源で供給され、ＶＢＵＳの電源レベルによってＡＣアダプタからのＤＣ電源、ＵＳＢ電源の切替をＡＣアダプタ／ＵＳＢ電源切替回路１００４で切替ている。なお、ＶＢＵＳからの電源供給のみでＡＣアダプタなどの電源供給は必要でないものもある。また電源供給能力を得るのに複数のＶＢＵＳの端子から電源供給をすることもできる。
【００１０】
ホストコンピュータ装置１１がシャットダウンしてもＶＢＵＳの電源供給がＯＦＦとならず電源供給がされたままの状態のときＵＳＢコネクタ１００１に接続された外付け光ディスク装置を常設して使用していると、ホストコンピュータ装置１１をシャットダウンしたにもかかわらずＶＢＵＳの電源がＯＮされたままとなるので、ＡＣアダプタＯＮ／ＯＦＦトランジスタ１００５やＵＳＢ電源ＯＮ／ＯＦＦ用トランジスタ１００６はＯＮの状態のままである。かかる光ディスク装置１３の電源をＯＦＦするには、電源スイッチを設けるかもしくは電源スイッチを設けない場合、ホストコンピュータ装置の電源をシャットダウンするたびに外付け光ディスク装置をＵＳＢコネクタ１００１から取り外すことをしなければならないという課題が発生していた。
【００１１】
本発明では、このような問題を解決するためになされたものであり、ＵＳＢインターフェースケーブル１５で外付けされる光ディスク装置１３において、ホストコンピュータ装置１１がシャットダウンしたら確実に電源をＯＦＦすることができる電源制御手段を備えた光ディスク装置及び光ディスク装置の電源制御方法を提供することを目的とする。
【課題を解決するための手段】
【００１２】
かかる問題を解決するため、本発明はメイン電源とサブ電源とを有するホストコンピュータ装置に接続されホストコンピュータ装置のサブ電源から電源供給を受けるインターフェイスと、ホストコンピュータ装置のメイン電源を切断する場合ホストコンピュータ装置からメイン電源を切る旨のコマンドをインターフェイスを介して入力し、コマンドの入力により前記ホストコンピュータ装置のサブ電源からの電源供給を停止する制御手段とを具備する周辺装置であり、ホストコンピュータ装置に接続された周辺装置が、ホストコンピュータ装置がシャットダウンされたときに、ホストコンピュータ装置のサブ電源から電源供給が続いた場合にも確実に周辺装置の電源供給を切断できるようになるので、低消費電源化ができる周辺装置を提供できるようになる。
【発明の効果】
【００１３】
本発明は、ホストコンピュータ装置にＵＳＢで外付けされる光ディスク装置において、ホストコンピュータ装置に接続されたままでも、ホストコンピュータ装置がシャットダウンしたら確実に電源をＯＦＦすることができるようになるので、ホストコンピュータ装置に光ディスク装置を取外すことがなく、ホストコンピュータ装置に常設が可能で低消費電源の光ディスク装置を提供できる。
【発明を実施するための最良の形態】
【００１４】
請求項１記載の発明は、メイン電源とサブ電源とを有するホストコンピュータ装置に接続されホストコンピュータ装置のサブ電源から電源供給を受けるインターフェイスと、ホストコンピュータ装置のメイン電源を切断する場合ホストコンピュータ装置からメイン電源を切る旨のコマンドをインターフェイスを介して入力し、コマンドの入力により前記ホストコンピュータ装置のサブ電源からの電源供給を停止する制御手段とを具備する周辺装置であり、ホストコンピュータ装置に接続された周辺装置が、ホストコンピュータ装置がシャットダウンされたときに、ホストコンピュータ装置のサブ電源から電源供給が続いた場合にも確実に周辺装置の電源供給を切断できるようになるので、低消費電源化ができる周辺装置を提供できるようになる。
【００１５】
請求項２記載の発明は、メイン電源とサブ電源とを有するホストコンピュータ装置に接続されホストコンピュータ装置のサブ電源から電源供給を受けるインターフェイスと、ホストコンピュータ装置のメイン電源を切断する場合ホストコンピュータ装置からメイン電源を切る旨のコマンドをインターフェイスを介して入力し、コマンドの入力により前記ホストコンピュータ装置のサブ電源からの電源供給を停止する制御手段とを具備する光ディスク装置であり、ホストコンピュータ装置に接続された光ディスク装置が、ホストコンピュータ装置がシャットダウンされたときに、ホストコンピュータ装置のサブ電源から電源供給が続いた場合にも確実に光ディスク装置の電源供給を切断できるようになるので、低消費電力化ができる光ディスク装置を提供できるようになる。
【００１６】
請求項３記載の発明は、装置内部に電源を供給するメイン電源と、装置に接続された周辺機器に電源を供給するサブ電源と、光ディスク装置と接続し且つ前記サブ電源から光ディスク装置に電源を供給するインターフェイスと、メイン電源を切断する場合、本装置のメイン電源を切る旨のコマンドをインターフェイスを介して光ディスク装置に出力する制御手段とを具備するホストコンピュータ装置であり、ホストコンピュータ装置に接続された光ディスク装置が、ホストコンピュータ装置がシャットダウンされたときに、ホストコンピュータ装置のサブ電源から電源供給が続いた場合にも確実に光ディスク装置の電源供給を切断できるようになるので、光ディスク装置に電源供給を切断できるので低消費電源化ができるホストコンピュータ装置を提供できるようになる。
【００１７】
請求項４記載の発明は、制御手段は、装置で実行しているソフトウェアが装置のシャットダウン動作を検知して、装置のメイン電源を切る旨のコマンドを光ディスク装置に出力することを具備する請求項３記載のホストコンピュータ装置であり、ホストコンピュータ装置に接続された光ディスク装置が、ホストコンピュータ装置がシャットダウンされたときに、ホストコンピュータ装置のサブ電源から電源供給が続いた場合にも確実に光ディスク装置の電源供給を切断できるようになるので、低消費電力化ができる光ディスク装置を提供できるようになる。
【００１８】
請求項５記載の発明は、メイン電源とサブ電源とを有するホストコンピュータ装置に接続され、ホストコンピュータ装置のサブ電源から第１の電源供給源として電源供給を受けるインターフェースと、ＤＣ電源として電源供給を受ける第２の電源供給源と、ホストコンピュータ装置のメイン電源を切断する場合ホストコンピュータ装置からメイン電源を切る旨のコマンドを前記インターフェイスを介して入力し、コマンドに基づき前記第１の電源供給源及び前記第２の電源供給源の電源供給を切断する制御手段、を具備する光ディスク装置であり、インターフェースから供給される電源に加えて、第２の電源供給源としてＤＣ電源を光ディスク装置に供給した場合に、インターフェースからの電源だけでなく、第２の電源供給源も切断することができ、消費電源を低減できるようになる。
【００１９】
請求項６記載の発明は、メイン電源とサブ電源とを有するホストコンピュータ装置に接続されホストコンピュータ装置のサブ電源から電源供給を受けるインターフェイスと、このインターフェイスを介してホストコンピュータ装置から所定の信号を検出する信号検出手段と、信号検出手段がホストコンピュータ装置から所定の信号を検出した場合、ホストコンピュータ装置のメイン電源が起動したと判断してホストコンピュータ装置のサブ電源からの電源供給を開始する制御手段と、を具備する光ディスク装置であり、ホストコンピュータ装置に接続された光ディスク装置がホストコンピュータ装置のサブ電源からの電源供給がホストコンピュータ装置の電源のＯＮ／ＯＦＦに関係なく継続し、ホストコンピュータ装置からの電源供給の立上りエッジが検出できなくても、電源の供給ができるようになる。
【００２０】
請求項７記載の発明は、メイン電源とサブ電源とを有するホストコンピュータ装置のサブ電源から電源供給を受け、ホストコンピュータ装置のメイン電源を切断する場合前記ホストコンピュータ装置からメイン電源を切る旨のコマンドをインターフェイスを介して入力し、コマンドの入力によりホストコンピュータ装置のサブ電源からの電源供給を停止することを特徴とする光ディスク装置の電源制御方法であり、ホストコンピュータ装置に接続された光ディスク装置が、ホストコンピュータ装置がシャットダウンされたときに、ホストコンピュータ装置のサブ電源から電源供給が続いた場合にも確実に光ディスク装置の電源供給を切断できるようになるので、低消費電源化ができる光ディスク装置を提供できるようになる。
【００２１】
請求項８記載の発明は、メイン電源とサブ電源とを有するホストコンピュータ装置のサブ電源から第１の電源供給を受け、ＤＣ電源として第２の電源供給を受け、ホストコンピュータ装置のメイン電源を切断する場合ホストコンピュータ装置からメイン電源を切る旨のコマンドをインターフェイスを介して入力し、コマンド入力により第１の電源供給源及び前記第２の電源供給源の電源供給を停止することを特徴とする光ディスク装置の電源制御方法であり、この方法によれば、インターフェースから供給される電源に加えて、第２の電源供給源としてＤＣ電源を光ディスク装置に供給した場合に、インターフェースからの第１の電源供給電源だけでなく、第２の電源供給源も切断することができるようになる。
【００２２】
請求項９記載の発明は、装置内部にメイン電源より電源を供給し、装置に接続された光ディスク装置にサブ電源より電源を供給し、装置内部に供給するメイン電源を切断する場合、本装置の電源を切る旨のコマンドをインターフェースを介して光ディスク装置に出力し、光ディスク装置の電源を停止することを特徴とするホストコンピュータ装置による光ディスク装置の電源制御方法であり、この方法によれば、ホストコンピュータ装置に接続された光ディスク装置が、ホストコンピュータ装置がシャットダウンされたときに、ホストコンピュータ装置のサブ電源から電源供給が続いた場合にも確実に光ディスク装置の電源供給を切断できるようになるので、低消費電源化ができる光ディスク装置を提供できるようになる。
【００２３】
請求項１０記載の発明は、ホストコンピュータ装置のメイン電源の切断は、ホストコンピュータ装置で実行しているソフトウェアがホストコンピュータ装置のシャットダウン動作を検知して、光ディスク装置にホストコンピュータ装置のメイン電源を切る旨のコマンドを出力することを特徴とする請求項９記載のホストコンピュータ装置による光ディスク装置の電源制御方法であり、ホストコンピュータ装置で実行しているソフトウェアを常駐させるとホストコンピュータ装置のＯＳから電源をシャットダウンするときに確認するメッセージの受信により確実にホストコンピュータ装置のシャットダウンを検知することができるようになる。
【００２４】
請求項１１記載の発明は、装置本体に電源を供給するメイン電源と装置本体に接続された光ディスクに電源を供給するサブ電源とを有するホストコンピュータ装置に、サブ電源から光ディスク装置に電源を供給する処理と、メイン電源を切断する場合、本装置のメイン電源を切る旨のコマンドをインターフェイスを介して光ディスク装置に出力する処理と、を実行させることを特徴とするコンピュータプログラムであり、このプログラムにより容易にホストコンピュータ装置のシャットダウンを検出して、ホストコンピュータ装置と接続されている光ディスク装置の電源をＯＦＦすることができるようになる。
【００２５】
（実施の形態）
以下に本発明の実施の形態について図面を参照しながら説明する。
【００２６】
なお、ホストコンピュータ装置に接続する周辺装置としては光ディスク装置、スキャナ及びプリンタなどがあるが、本発明の実施の形態では、周辺装置としてホストコンピュータに外付けで接続する光ディスク装置を、接続するインターフェースとしてはＵＳＢ（Ｕｎｉｖｅｒｓａｌ  Ｓｅｒｉａｌ  Ｂｕｓ）インターフェースやＩＥＥＥ１３９４規格対応の入出力インターフェースなどがあるが、本発明の実施の形態ではＵＳＢインターフェースを例にとって説明する。
【００２７】
図１は、本発明の実施の形態に係わるホストコンピュータ装置と光ディスク装置に関するネットワーク図である。
【００２８】
図１において、１１はホストコンピュータ装置、１２はディスプレイ、１３は光ディスク装置、１４はＵＳＢインターフェース端子、１５はＵＳＢインターフェースケーブル、１６はＵＳＢコネクタ、１７はディスプレイケーブル、１８は内蔵光ディスク装置、１９は電源スイッチ、９はＡＣアダプタである。
【００２９】
ホストコンピュータ装置１１の電源スイッチ１９をＯＮすると、ホストコンピュータ装置１１内のオペレーディングシステム（ＯＳ）、例えばＷｉｎｄｏｗｓ（登録商標）が起動しホストコンピュータ装置１１が使用でき、ユーザは所望のソフトウェアを選択して実行することができるようになる。ホストコンピュータ装置１１の使用が終了し、ホストコンピュータ装置１１の電源をＯＦＦするには、ＯＳのシャットダウン操作によって電源をＯＦＦする。
【００３０】
ホストコンピュータ装置１１に備えたＵＳＢインターフェース端子１４は複数個数備えられており、このＵＳＢインターフェース端子１４にＵＳＢインターフェースケーブル１５で光ディスク装置１３及びその他の周辺装置を複数接続することができる。ＵＳＢインターフェースケーブル１５の端部にはＵＳＢコネクタ１６がありこのＵＳＢコネクタ１６をＵＳＢインターフェース端子１４に挿入して接続する。内蔵光ディスク装置１８はホストコンピュータ装置に予め備えられている光ディスク装置であり、ソフトウェアのインストールなどに使用される再生専用の光ディスク装置であったりいくつかの種類の光ディスクに対してのみ記録可能である。内蔵光ディスク装置１８では記録や再生ができない光ディスクに対応するためには、所望の光ディスクに対して記録／再生ができるタイプの内蔵光ディスク装置１８に置き換えるか、ＵＳＢインターフェースケーブル１５等で接続する外付けの光ディスク装置１３を接続することで対応する。
【００３１】
ホストコンピュータ装置１１とディスプレイ１２とは、ディスプレケーブル１７で接続されており、ホストコンピュータ装置１１の文字や映像の出力装置として動作しホストコンピュータ装置１１で実行するソフトウェアの実行に伴う情報の表示ができる。
【００３２】
光ディスク装置１３は、電源をホストコンピュータ装置１１のＵＳＢインターフェース端子１４から供給を受けることができ、ＵＳＢインターフェース端子１４のみの電源で駆動する場合や、ＵＳＢインターフェースの電源容量が不足するなどして必要な場合には、ＡＣアダプタ９によりＤＣ電源として電源供給をすることもできる。また、ＡＣアダプタ９から供給しなくてもＤＣ電源として電池で供給してもよい。
【００３３】
図２は、本発明の実施の形態に係わるホストコンピュータ装置のブロック図である。
【００３４】
図２において、１１はホストコンピュータ装置、１３は光ディスク装置、１４はＵＳＢインターフェース端子、２０は電源部、２１はメイン電源、２２はサブ電源、２３はコマンド発行手段、２４はシャットダウン検知手段、２５はＣＰＵ、２６はメモリ、２７はＵＳＢインターフェース、２８は電源プラグである。
【００３５】
電源部２０は、電源プラグ２８から入力した交流電源をメイン電源２１とサブ電源２２の直流電源とに変換し、メイン電源２１には電源スイッチ１９（図１のホストコンピュータ装置の電源スイッチ）を備えている。電源部２０のサブ電源２２は、ＵＳＢインターフェース２７に接続され、ＵＳＢインターフェース端子１４からＶＢＵＳで、光ディスク装置１３へＤＣ電源として電源供給を行う。
【００３６】
ＣＰＵ２５は、メモリ２６に格納されたプログラムを基に各種演算や各種制御等の処理実行する。ホストコンピュータ装置１１のシャットダウン検知手段２４がシャットダウンを検知すると、コマンド発行手段２３でホストコンピュータ装置１１がシャットダウンする旨のコマンドを生成し、光ディスク装置１３に対してＵＳＢインターフェース２７を介してコマンドを発行する。
【００３７】
またＣＰＵ２５は、ＵＳＢインターフェース２７を介してＵＳＢインターフェース端子１４から光ディスク装置１３に情報を出力したり、光ディスク装置１３からの情報を入力したりする。
【００３８】
ＵＳＢインターフェース２７はＤＡＴＡ＋、ＤＡＴＡ−のラインで情報の入出力を行い、ＶＢＵＳで光ディスク装置１３に電源供給を行う。ＧＮＤは接地ラインである。
【００３９】
なお、電源スイッチ１９は、メイン電源２１を導通したり切断したりする構成で説明したが、メイン電源２１とサブ電源２２の全体の電源を導通及び切断させる構成でもよい。
【００４０】
ホストコンピュータ装置１１の電源のＯＮには、ホストコンピュータ装置１１に備えられた電源スイッチ１９をＯＮすることで起動開始しＯＳがスタートするが、ホストコンピュータ装置１１のＯＦＦには、通常はＯＳからシャットダウン操作を行うことにより、ＯＳの機能によって自動的にシャットダウン処理を行う。
【００４１】
図３は、本発明の実施の形態に係わる光ディスク装置のブロック図である。
【００４２】
図３において、１１はホストコンピュータ装置、１３は光ディスク装置、３０１はＵＳＢ端子、３０２はＵＳＢインターフェース（Ｉ／Ｆ）回路部、３０３は光ディスク装置システム回路部、３０４はＡＣアダプタ／ＵＳＢ電源切替回路、３０５はＡＣアダプタＯＮ／ＯＦＦ用トランジスタ、３０６はＵＳＢ電源ＯＮ／ＯＦＦ用トランジスタ、３０７はコマンド解析手段、３０８は電源ラッチ回路部、３０９は信号検出手段、３１１はエッジーパルス変換回路Ａ、３１２はエッジーパルス変換回路Ｂである。
【００４３】
ホストコンピュータ装置１１と光ディスク装置１３とはＵＳＢ端子３０１で接続される。
【００４４】
光ディスク装置１３はＵＳＢインターフェース（Ｉ／Ｆ）部３２０と光ディスク装置３２１から構成されている。
【００４５】
光ディスク装置１３への電源供給は、ＵＳＢ端子３０１のＶＢＵＳやＡＣアダプタなどのＤＣ電源で供給される。電源供給源としては、ＡＣアダプタなどのＤＣ電源の供給を行わず、ＶＢＵＳからのみ電源供給を受けることもあり、この際複数のＶＢＵＳから電源受けてもよい。
【００４６】
以下、ＡＣアダプタによる電源供給及びＶＢＵＳから電源供給を受ける例をもとに説明する。
【００４７】
ホストコンピュータ装置１１は、通常ホストコンピュータ装置１１に連動してホストコンピュータ装置１１が動作しているときにＶＢＵＳに電源供給し、ホストコンピュータ装置１１がシャットダウンされるとＶＢＵＳの電源供給が停止するものが一般的ではあるが、ホストコンピュータ装置１１がシャットダウンされてもＶＢＵＳに電源が供給されたままのものもある。このようなホストコンピュータ装置１１がシャットダウンされたときにＶＢＵＳに電源が供給されたままであると、光ディスク装置１３の電源を消費するので、ホストコンピュータ装置１１がシャットダウンすると、光ディスク装置１３の電源供給ラインをＯＦＦとする構成にしている。
【００４８】
ホストコンピュータ装置１１と光ディスク装置１３とはＵＳＢインターフェースケーブル１５で接続されており、光ディスク装置１３は、ホストコンピュータ装置１１が発行するコマンドを基にホストコンピュータ装置１１に応答して動作をする。かかるコマンドでは、ＲＥＡＤコマンドを光ディスク装置１３に送り光ディスク（図示せず）の情報を読んだり、ＷＲＩＴＥコマンドを送って光ディスクに情報を記録したりしている。これらのコマンドの発行はホストコンピュータ装置１１で動作するソフトウェア（常駐プログラム含む）で行われている。
【００４９】
ホストコンピュータ装置１１のソフトウェアでは、ホストコンピュータ装置１１が動作しているときにバックグランドで動作する常駐プログラムで動作させればホストコンピュータ装置１１の状態を監視できるようになる。
【００５０】
本発明の実施の形態では、常駐プログラムがホストコンピュータ装置１１のシャットダウンを検知するとシャットダウン動作に先立って光ディスク装置１３にホストコンピュータ装置１１のシャットダウンに関するコマンドを発行する。
【００５１】
コマンドを受けた光ディスク装置１３は、コマンド解析手段３０７でコマンドを解析し、入力したコマンドがシャットダウンに関するコマンドと検知したら、電源ＯＦＦ信号（Ｂ）を電源ラッチ回路部３０８に出力する。電源ＯＦＦ信号（Ｂ）を入力した電源ラッチ回路３０８は制御信号（Ｃ）をＡＣアダプタＯＮ／ＯＦＦ用トランジスタ及びＵＳＢ電源ＯＮ／ＯＦＦ用トランジスタに出力してＡＣアダプタＯＮ／ＯＦＦ用トランジスタ及びＵＳＢ電源ＯＮ／ＯＦＦ用トランジスタをＯＦＦとする。
【００５２】
ホストコンピュータ装置１１に光ディスク装置１３が接続された状態で、再びホストコンピュータ装置１１の起動がなされると、ＤＡＴＡ＋、ＤＡＴＡ−の状態を信号検出手段３０９によって検出し、信号検出があればエッジーパルス変換回路Ａでトリガパルス信号（Ｆ）を生成し、電源ラッチ回路部３０８にトリガパルス信号（Ｆ）を送り電源ラッチ回路部３０８によってＡＣアダプタＯＮ／ＯＦＦ用トランジスタ及びＵＳＢ電源ＯＮ／ＯＦＦ用トランジスタをＯＮさせている。
【００５３】
図４は、本発明の実施の形態に係わる動作ステージごとの信号レベルと電源制御の関係の表である。
【００５４】
図３及び図４に従って動作ステージごとの信号と電源制御について説明する。
【００５５】
ここで動作ステージを以下に示す。
【００５６】
ステージａ：ホストコンピュータ装置１１に光ディスク装置１３は未接続でＡＣアダプタ９を接続。
【００５７】
ステージｂ：ホストコンピュータ装置１１に光ディスク装置１３を接続。
【００５８】
ステージｃ：ホストコンピュータ装置１１と光ディスク装置１３が接続され通常使用中。
【００５９】
ステージｄ：ホストコンピュータ装置１１がシャットダウン。
【００６０】
ステージｅ：ホストコンピュータ装置１１に光ディスク装置１３が接続されたまま双方が電源ＯＦＦのとき（ただしホストコンピュータ装置１１のＶＢＵＳはＯＮ状態）。
【００６１】
ステージｆ：ホストコンピュータ装置１１に光ディスク装置１３が接続されたままホストコンピュータ装置１１が電源ＯＮ。
【００６２】
以下、各動作ステージにおける電源制御の動作について説明する。
【００６３】
ステージａでは、制御信号（Ｃ）はＯＦＦ（Ｌ）のままであるので、ＡＣアダプタＯＮ／ＯＦＦトランジスタは切断される。
【００６４】
ステージｂでは、ホストコンピュータ装置１１が動作しているときに光ディスク装置１３をＵＳＢ端子に接続することで、ＶＢＵＳの立上りエッジを検出し、エッジーパルス変換回路Ｂ３１２でトリガパルス信号（Ｅ）を生成し、エッジ検出のトリガパルス信号（Ｅ）を電源ラッチ回路部３０８に入力する。電源ラッチ回路部３０８はトリガパルス信号（Ｅ）を検出したら制御信号（Ｃ）をＯＮ（Ｈ）にし、制御信号（Ｃ）がＯＮとなったら、ＡＣアダプタＯＮ／ＯＦＦトランジスタ及びＵＳＢＯＮ／ＯＦＦトランジスタが導通する。
【００６５】
ステージｃでは、ＵＳＢのＶＢＵＳはＨレベルで、電源ＯＦＦ信号（Ｂ）がＬレベルで制御信号（Ｃ）はＯＮ（Ｈ）を維持し、ＡＣアダプタＯＮ／ＯＦＦトランジスタ及びＵＳＢＯＮ／ＯＦＦトランジスタが導通を維持する。
【００６６】
ステージｄでは、ホストコンピュータ装置１１のシャットダウンをコマンド解析手段３０７が検知したら、光ディスク装置システム回路部３０３から電源ＯＦＦ信号（Ｂ）をＨにして電源ラッチ回路部３０８に出力され、電源ラッチ回路部３０８は電源ＯＦＦ信号（Ｂ）のＨレベルを検出したら制御信号（Ｃ）をＯＦＦ（Ｌ）にしＡＣアダプタＯＮ／ＯＦＦトランジスタ及びＵＳＢＯＮ／ＯＦＦトランジスタを切断する。
【００６７】
ステージｅでは、ＶＢＵＳはＨレベルのままであるが、制御信号（Ｃ）はＯＦＦ（Ｌ）であり、ＡＣアダプタＯＮ／ＯＦＦトランジスタ及びＵＳＢＯＮ／ＯＦＦトランジスタを切断したままである。
【００６８】
ステージｆでは、ステージｅの状態でホストコンピュータ装置１１がＯＮされ光ディスク装置１３が使用開始されると、信号検出（Ｄ）がＨレベルとなり信号検出（Ｄ）はエッジーパルス変換回路Ａに入力され、エッジーパルス変換回路Ａ３１１にてトリガパルス（Ｆ）を生成し、電源ラッチ回路部３０８に入力する。電源ラッチ回路部３０８は信号を入力したら制御信号（Ｃ）をＯＮ（Ｈ）にし、制御信号（Ｃ）がＯＮとなったら、ＡＣアダプタＯＮ／ＯＦＦトランジスタ及びＵＳＢＯＮ／ＯＦＦトランジスタが導通する
図５は、本発明の実施の形態に係わるコマンドの説明図である。
【００６９】
ホストコンピュータ装置１１と光ディスク装置１３は、ホストコンピュータ装置１１が発行するコマンドに応答して光ディスク装置１３が動作する。本発明の実施の形態では、ホストコンピュータ装置１１がシャットダウンするときに光ディスク装置１３に発行するコマンドとして、ベンダーユニークコマンドを発行して光ディスク装置１３の電源制御を行っている。
【００７０】
ベンダーユニークコマンドの構成は、図５に示すように１２バイトのコマンドパラメータ領域を有しており、ホストコンピュータ装置１１がシャットダウンする際には、コマンドの０バイトにベンダーユニークコマンドのＯｐｅｒａｔｉｏｎ  ＣｏｄｅであるＥ７ｈ、第６バイトにシャトダウンを行うＳｕｂ  Ｏｐｅ−Ｃｏｄｅである０４ｈを、方向（第７ビット）としてホストコンピュータ装置１１から光ディスク装置１３がデータを受信するＤａｔａ  Ｉｎである１と設定して光ディスク装置１３に対して、コマンドとして発行する。
【００７１】
従って、コマンドの０バイトにベンダーユニークコマンドのＯｐｅｒａｔｉｏｎ  ＣｏｄｅであるＥ７ｈを、コマンドの第６バイトの７ビットの１とＳｕｂ  Ｏｐｅ−Ｃｏｄｅである０４ｈからコマンドの第６バイトとして８４ｈを設定して光ディスク装置１３に発行する。
【００７２】
光ディスク装置１３ではこの受信したベンダーユニークコマンドがホストコンピュータ装置１１のシャットダウンに関するコマンドと検知したら電源のＯＦＦ動作を行う。
【００７３】
なお、本発明の実施の形態においては、ベンダーユニークコマンドで説明したが、本発明の実施の形態のこだわらずＡＴＡＰＩやＳＣＳＩなどのインターフェースのコマンドを利用してもよい。
【００７４】
図６は、本発明の実施の形態に係わるホストコンピュータ装置と光ディスク装置間で実行する処理シーケンス図である。
【００７５】
図６を参照しながらホストコンピュータ装置１１と光ディスク装置１３間での処理手順を説明する。
【００７６】
ホストコンピュータ装置１１の電源がＯＮしＯＳが起動したら、周辺装置である光ディスク装置１３の接続監視がなされ（Ｓ５０１）、光ディスク装置１３をホストコンピュータ装置１１に接続したら（Ｓ５０２）、ホストコンピュータ装置１１は、監視プログラムを実行し（Ｓ５０３）、シャットダウン監視を開始する（Ｓ５０４）。
【００７７】
ホストコンピュータ装置１１がシャットダウンを検出したら（Ｓ５０５）、ホストコンピュータ装置１１は光ディスク装置１３に対してシャットダウンに関するコマンドを発行し（Ｓ５０６）、光ディスク装置１３はこのコマンドを入力したら供給電源を切断する（Ｓ５０７）。
【００７８】
また、ホストコンピュータ装置１１は、光ディスク装置１３にシャットダウンコマンドを発行したら（Ｓ５０６）、ホストコンピュータ装置１１のシャットダウン処理を行い（Ｓ５０８）、ホストコンピュータ装置１１をシャットダウンする（Ｓ５０９）。
【００７９】
また、ホストコンピュータ装置１１が光ディスク装置１３に接続された状態で、光ディスク装置１３に対して情報の記録または再生動作（Ｓ５１０）際に、記録または再生にかかわるコマンドを発行すると（Ｓ５１１）、光ディスク装置１３はこれに答えて光ディスク（図示せず）の情報の記録または再生を行い、ホストコンピュータ装置１１にデータを転送する（Ｓ５１２）。
【００８０】
図７は、本発明の実施の形態に係わるホストコンピュータ装置の処理のフローチャートである。
【００８１】
ホストコンピュータ装置（ＰＣ）１１の電源がＯＮされＯＳが起動し、使用が開始されると（Ｓ６００）、光ディスク装置１３が接続されたら（Ｓ６０１）、ホストコンピュータ装置１１のシャットダウンを監視するプログラムが起動され（Ｓ６０２）、監視動作が開始される（Ｓ６０３）。光ディスク装置１３をホストコンピュータ装置１１から取外すかどうかを判断し（Ｓ６０４）、光ディスク装置１３を取外す場合には、ホストコンピュータ装置１１のシャットダウンを監視するプログラムを終了し（Ｓ６０５）、光ディスク装置１３をホストコンピュータ装置１１から取り外し（Ｓ６０６）、光ディスク装置１３の装着確認（Ｓ６０１）に戻る。
【００８２】
光ディスク装置１３の使用を続ける場合に（Ｓ６０４）、光ディスク装置１３に対して記録または再生を実施するときには記録又は再生動作を実施し（Ｓ６０７）、ホストコンピュータ装置１１をシャットダウンするかどうか判断し（Ｓ６０８）、ホストコンピュータ装置１１をシャットダウンするときには、ホストコンピュータ装置１１がシャットダウンする旨のコマンドを光ディスク装置１３に発行し（Ｓ６０９）、ホストコンピュータ装置１１はシャットダウン処理を実行し（Ｓ６１０）、シャットダウンし終了する（Ｓ６１１）。
【００８３】
図８は、本発明の実施の形態に係わる光ディスク装置の処理のフローチャートである。
【００８４】
図８に示すように、動作開始されると（Ｓ７０１）、ＵＳＢポートのＶＢＵＳがＯＮであるかどうか判定し（Ｓ７０２）、ＶＢＵＳがＯＮになるまで動作をしない。すなわちホストコンピュータ装置１１がシャットダウンされ、ＶＢＵＳがＯＦＦされると、光ディスク装置１３には電源が供給されていないので、ホストコンピュータ装置１１が立上がりＶＢＵＳに電源が供給されるまで動作しない。
【００８５】
ＶＢＵＳ端子に電源が供給されていると、ホストコンピュータ装置１１からのコマンドを入力し（Ｓ７０３）、入力したコマンドがシャットダウンに関するコマンドでないと判断したら（Ｓ７０４）、その他のコマンド処理、例えば記録や再生にかかわるコマンド等の処理を実行する（Ｓ７０８）。ホストコンピュータ装置１１から入力したコマンドがシャットダウンに関するコマンドであれば（Ｓ７０４）、電源供給を切断する（Ｓ７０５）。
【００８６】
ＵＳＢポートの信号ラインがアクティブでなければ（Ｓ７０６）、信号ラインがＯＦＦのままである間電源供給を切断する。ＵＳＢポートの信号ラインがＯＮになれば（Ｓ７０６）、電源供給を開始し（Ｓ７０７）、コマンド入力に戻る（Ｓ７０３）。
【００８７】
図９は、本発明の実施の形態に係わるベンダーユニークコマンド受信後電源ＯＦＦまでの処理シーケンス図である。
【００８８】
通信タスクが開始され（Ｓ８００）、コマンド受信処理がされ（Ｓ８０１）、受信したコマンドが電源ＯＦＦのコマンドかどうか判断し（Ｓ８０２）、電源ＯＦＦのコマンドでなければ受信したコマンドの処理を実施し（Ｓ８０３）、コマンド受信処理に戻る（Ｓ８０１）。受信したコマンドが電源ＯＦＦのコマンドであれば制御タスクに電源ＯＦＦのイベントを発行し（Ｓ８０４）、コマンド受信処理に戻る（Ｓ８０１）。
【００８９】
制御タスクでは（Ｓ８１０）、イベント待ち処理を実施し（Ｓ８１１）、イベントが電源ＯＦＦのイベントかどうか判断し（Ｓ８１２）、電源ＯＦＦのイベントでなければ受信したイベントを処理し（Ｓ８１３）、イベント待ち処理に戻る（Ｓ８１１）。受信したイベントが電源ＯＦＦのイベントであれば（Ｓ８１２）、電源ＯＦＦを実行する。
【００９０】
図１０は、本発明の実施の形態に係わるプログラムの処理手順を示すフローチャートである。Ｗｉｎｄｏｗｓ（登録商標）では、シャットダウンする際に、ホストコンピュータ装置１１で動作している各プログラムにメッセージ（ＷＭ＿ＱＵＥＲＹＥＮＤＳＥＳＳＩＯＮ）を送る。このようなＯＳから送られるメッセージを利用し常駐プログラムでは、受信したメッセージを検出して光ディスク装置にＯＳがシャットダウンする旨のコマンドを送り、ＯＳに対してシャットダウンの許可メッセージを返答する。
【００９１】
図１０に従ってシャットダウンの処理について説明をする。
【００９２】
プログラムが起動し常駐していると（Ｓ９００）、ＯＳからのメッセージを受信することができ（Ｓ９０１）、受信したメッセージがホストコンピュータ装置１１のシャットダウンに関するメッセージかどうか判定し（Ｓ９０２）、シャットダウンに関するメッセージでなければ、通常のメッセージ処理を実施し（Ｓ９０３）、メッセージ受信処理の戻る（Ｓ９０１）。
【００９３】
受信したメッセージがシャットダウンに関するメッセージであれば、接続されている光ディスク装置１３が所望の光ディスク装置かどうか判定し（Ｓ９０４）、所望の光ディスク装置であれば電源切断のコマンドを発行し（Ｓ９０５）、接続されている光ディスク装置が所望の光ディスク装置でなければコマンドの発行はせずに、ＯＳにシャットダウンの許可するメッセージを返し（Ｓ９０６）、常駐プログラムを終了する（Ｓ９０７）。
【００９４】
なお、本発明の実施の形態では、シャットダウンによる光ディスク装置の切断方法について述べたが、Ｗｉｎｄｏｗｓ（登録商標）に常駐させたプログラムとしてのタスクトレからの安全な取り出し操作により光ディスク装置を停止しすることもできる。タスクトレからの安全な取り出し操作により光ディスク装置を停止した場合において、ＵＳＢコネクタをホストコンピュータ装置１１に接続したままの状態でも、ホストコンピュータ装置１１の再起動により光ディスク装置１３もホストコンピュータ装置１１の起動に連動して電源をＯＮさせることができる。
【００９５】
また、光ディスク装置に限らず、ＵＳＢインターフェースや、ＩＥＥＥ１３９４インターフェースで接続する様々な周辺装置にも適用が可能である。
【産業上の利用可能性】
【００９６】
本発明による光ディスク装置は、ホストコンピュータとＵＳＢケーブルで接続される光ディスク装置であって、特にホストコンピュータがＷｉｎｄｏｗｓ（登録商標）をシャットダウンすることで電源をＯＦＦするにあたり、ＵＳＢポートのＶＢＵＳの電源供給が続いても確実に電源をＯＦＦさせる低消費電力が可能な外付けタイプの光ディスク装置に利用できる。
【図面の簡単な説明】
【００９７】
【図１】本発明の実施の形態に係わるホストコンピュータ装置と周辺装置に関するネットワーク図
【図２】本発明の実施の形態に係わるホストコンピュータ装置のブロック図
【図３】本発明の実施の形態に係わる光ディスク装置のブロック図
【図４】本発明の実施の形態に係わる動作ステージごとの信号レベルと電源制御の関係の表を示す図
【図５】本発明の実施の形態に係わるコマンドの説明図
【図６】本発明の実施の形態に係わるホストコンピュータ装置と光ディスク装置間で実行する処理シーケンス図
【図７】本発明の実施の形態に係わるホストコンピュータ装置の処理のフローチャート
【図８】本発明の実施の形態に係わる光ディスク装置の処理のフローチャート
【図９】本発明の実施の形態に係わるベンダーユニークコマンド受信後電源ＯＦＦまでの処理シーケンス図
【図１０】本発明の実施の形態に係わるプログラムの処理手順を示すフローチャート
【図１１】従来の光ディスク装置のブロック図
【符号の説明】
【００９８】
９    ＡＣアダプタ
１１    ホストコンピュータ装置
１２    ディスプレイ
１３    光ディスク装置
１４    ＵＳＢインターフェース端子
１５    ＵＳＢインターフェースケーブル
１６    ＵＳＢコネクタ
１７    ディスプレイケーブル
１８    内蔵光ディスク装置
１９    電源スイッチ
２０    電源部
２１    メイン電源
２２    サブ電源
２３    コマンド発行手段
２４    監視手段
２５    ＣＰＵ
２６    メモリ
２７    ＵＳＢインターフェース
３１    入力制御部
３２    光ディスク装置本体部
３３    インターフェース
３４    データ信号検出部
３５    電源切替制御手段
３７    コマンド解析手段
３８    記録再生手段
３０１    ＵＳＢコネクタ
３０２    ＵＳＢインターフェース回路部
３０３    光ディスク装置システム回路部
３０７    コマンド解析手段
３１０    信号検出手段
３２０    光ディスク装置入力部
３２１    光ディスク装置本体部
【図１】
2007249727.tif 000003
【図２】
2007249727.tif 000004
【図３】
2007249727.tif 000005
【図４】
2007249727.tif 000006
【図５】
2007249727.tif 000007
【図６】
2007249727.tif 000008
【図７】
2007249727.tif 000009
【図８】
2007249727.tif 000010
【図９】
2007249727.tif 000011
【図１０】
2007249727.tif 000012
【図１１】
2007249727.tif 000013